(57)【要約】  エレベーターの診断運転をより確実に完了させることができるエレベーターの診断運転方法を得る。このエレベーターの診断運転方法は、電源スイッチがオンされたか否かが判定される電源スイッチオン判定工程と、電源スイッチオン判定工程で、電源スイッチがオンされたと判定された場合に、複数の診断項目の中で未実施診断項目があるか否かが判定される未実施診断項目判定工程と、未実施診断項目判定工程で、未実施診断項目があると判定された場合に、未実施診断項目が実施される診断項目実施工程とを備えている。
2019163051.tif 000002
【特許請求の範囲】
【請求項１】
エレベーターの電源スイッチがオンされたか否かが判定される電源スイッチオン判定工程と、
前記電源スイッチオン判定工程で、前記電源スイッチがオンされたと判定された場合に、前記エレベーターの診断運転に含まれる複数の診断項目の中で未実施の前記診断項目である未実施診断項目があるか否かが判定される未実施診断項目判定工程と、
前記未実施診断項目判定工程で、前記未実施診断項目があると判定された場合に、前記エレベーターが前記未実施診断項目を実施する診断項目実施工程と
を備えたエレベーターの診断運転方法。
【請求項２】
前記診断項目実施工程は、
実施される前記未実施診断項目が停電時自動着床装置の診断であるか否かが判定される停電時自動着床装置診断判定工程と、
前記停電時自動着床装置診断判定工程で、実施される前記未実施診断項目が前記停電時自動着床装置の診断であると判定された場合に、前回に前記電源スイッチがオンされた時間である前回稼働時間に基づいて、前記停電時自動着床装置の診断における複数の診断運転パターンの中から実施される前記診断運転パターンが選択される診断運転パターン選択工程と
を有している請求項１に記載のエレベーターの診断運転方法。
【請求項３】
前記電源スイッチがオフされたか否かが判定される電源スイッチオフ判定工程と、
前記電源スイッチオフ判定工程で、前記電源スイッチがオフされたと判定された場合に、複数の前記診断項目の中で実施された前記診断項目に対応する診断結果が外部装置に通報される診断途中結果通報工程と
をさらに備えた請求項１または請求項２に記載のエレベーターの診断運転方法。
【請求項４】
複数の前記診断項目の全てが実施されたか否かが判定される診断項目全実施判定工程と、
前記診断項目全実施判定工程で、複数の前記診断項目の全てが実施されたと判定された場合に、複数の前記診断項目の全てに対応する診断結果が外部装置に通報される診断完了結果通報工程と
をさらに備えた請求項１から請求項３までの何れか一項に記載のエレベーターの診断運転方法。
【請求項５】
複数の前記診断項目の全てが実施されたか否かが判定される診断項目全実施判定工程と、
前記診断項目全実施判定工程で、複数の前記診断項目の全てが実施されたと判定された場合に、かご内操作盤が特殊操作されたか否かが判定されるかご内操作盤特殊操作判定工程と、
前記かご内操作盤特殊操作判定工程で、前記かご内操作盤が特殊操作されたと判定された場合に、かご内報知装置が、複数の前記診断項目の全てが実施されたことを報知するかご内報知工程と
をさらに備えた請求項１から請求項４までの何れか一項に記載のエレベーターの診断運転方法。
【請求項６】
複数の前記診断項目の中で最初の前記診断項目である最初診断項目が実施されてから予め設定された期間が経過したか否かが判定される期間経過判定工程と、
前記期間経過判定工程で、前記最初診断項目が実施されてから予め設定された期間が経過したと判定された場合に、実施された前記診断項目である実施済診断項目が前記未実施診断項目となる診断項目再設定工程と
をさらに備えた請求項１から請求項５までの何れか一項に記載のエレベーターの診断運転方法。
【請求項７】
エレベーターの電源スイッチがオンされたか否かを判定する電源スイッチオン判定装置と、
前記電源スイッチがオンされたと前記電源スイッチオン判定装置が判定した場合に、前記エレベーターの診断運転に含まれる複数の診断項目の中で未実施の前記診断項目である未実施診断項目があるか否かを判定する未実施診断項目判定装置と、
前記未実施診断項目があると前記未実施診断項目判定装置が判定した場合に、前記エレベーターに未実施診断項目を実施させる診断運転制御装置と
を備えたエレベーターの診断運転システム。
【請求項８】
実施される前記未実施診断項目が停電時自動着床装置の診断であるか否かを判定する停電時自動着床装置診断判定装置と、
実施される前記未実施診断項目が前記停電時自動着床装置の診断であると前記停電時自動着床装置診断判定装置が判定した場合に、前回に前記電源スイッチがオンされた時間である前回稼働時間に基づいて、前記停電時自動着床装置の診断における複数の診断運転パターンの中から実施される前記診断運転パターンを選択する診断運転パターン選択装置と
をさらに備えた請求項７に記載のエレベーターの診断運転システム。
【請求項９】
前記電源スイッチがオフされたか否かを判定する電源スイッチオフ判定装置と、
前記電源スイッチがオフされたと前記電源スイッチオフ判定装置が判定した場合に、複数の前記診断項目の中で実施された前記診断項目に対応する診断結果を外部装置に通報する診断途中結果通報装置と
をさらに備えた請求項７または請求項８に記載のエレベーターの診断運転システム。
【請求項１０】
複数の前記診断項目の全てが実施されたか否かを判定する診断項目全実施判定装置と、
複数の前記診断項目の全てが実施されたと前記診断項目全実施判定装置が判定した場合に、複数の前記診断項目の全てに対応する診断結果を外部装置に通報する診断完了結果通報装置と
をさらに備えた請求項７から請求項９までの何れか一項に記載のエレベーターの診断運転システム。
【請求項１１】
複数の前記診断項目の全てが実施されたか否かを判定する診断項目全実施判定装置と、
複数の前記診断項目の全てが実施されたと前記診断項目全実施判定装置が判定した場合に、かご内操作盤が特殊操作されたか否かを判定するかご内操作盤特殊操作判定装置と、
前記かご内操作盤が特殊操作されたと前記かご内操作盤特殊操作判定装置が判定した場合に、複数の前記診断項目の全てが実施されたことを報知するかご内報知装置と
をさらに備えた請求項７から請求項１０までの何れか一項に記載のエレベーターの診断運転システム。
【請求項１２】
複数の前記診断項目の中で最初の前記診断項目である最初診断項目が実施されてから予め設定された期間が経過したか否かを判定する期間経過判定装置と、
前記最初診断項目が実施されてから予め設定された期間が経過したと前記期間経過判定装置が判定した場合に、実施された前記診断項目である実施済診断項目を前記未実施診断項目とする診断項目再設定装置と
をさらに備えた請求項７から請求項１１までの何れか一項に記載のエレベーターの診断運転システム。
【発明の詳細な説明】
【技術分野】
【０００１】
この発明は、エレベーターの診断運転を行うエレベーターの診断運転方法およびエレベーターの診断運転システムに関する。
【背景技術】
【０００２】
従来、エレベーターの電源スイッチがオンされた場合に、エレベーターの診断運転が実施されるエレベーターの診断運転方法が知られている。（例えば、特許文献１参照）。
【先行技術文献】
【特許文献】
【０００３】
【特許文献１】特開昭５１−１０５４２号公報
【発明の概要】
【発明が解決しようとする課題】
【０００４】
しかしながら、エレベーターの診断運転が完了する前にエレベーターの電源スイッチがオフされる場合がある。エレベーターの診断運転が完了する前にエレベーターの電源スイッチがオフされた場合であって、その後、エレベーターの電源スイッチがオンされた場合には、エレベーターの診断運転は、複数の診断項目の中で、優先順位が上位の診断項目から実施される。これにより、優先順位が下位の診断項目が実施されないおそれがある。その結果、エレベーターの診断運転が完了しないおそれがあるという問題点があった。【０００５】
この発明は、上述のような課題を解決するためになされたものであり、その目的は、エレベーターの診断運転をより確実に完了させることができるエレベーターの診断運転方法およびエレベーターの診断運転システムを提供するものである。
【課題を解決するための手段】
【０００６】
この発明に係るエレベーターの診断運転方法は、エレベーターの電源スイッチがオンされたか否かが判定される電源スイッチオン判定工程と、電源スイッチオン判定工程で、電源スイッチがオンされたと判定された場合に、エレベーターの診断運転に含まれる複数の診断項目の中で未実施の診断項目である未実施診断項目があるか否かが判定される未実施診断項目判定工程と、未実施診断項目判定工程で、未実施診断項目があると判定された場合に、エレベーターが未実施診断項目を実施する診断項目実施工程とを備えている。
【発明の効果】
【０００７】
この発明に係るエレベーターの診断運転方法によれば、エレベーターの電源スイッチがオンされたか否かが判定される。電源スイッチがオンされたと判定された場合に、未実施診断項目があるか否かが判定される。未実施診断項目があると判定された場合に、エレベーターが未実施診断項目を実施する。これにより、エレベーターの診断運転をより確実に完了させることができる。
【図面の簡単な説明】
【０００８】
【図１】この発明の実施の形態１に係るエレベーターの診断運転システムを示す構成図である。
【図２】図１のエレベーターを示すブロック図である。
【図３】図１の制御装置を示すブロック図である。
【図４】図３の診断運転制御装置を示すブロック図である。
【図５】図４の診断項目記憶装置に記憶される複数の診断項目を示す表である。
【図６】図１の監視装置を示すブロック図である。
【図７】図１のエレベーターの診断運転システムにおけるエレベーターの診断運転を示すフローチャートである。
【図８】図７の診断運転前半工程を示すフローチャートである。
【図９】図７の診断運転後半工程を示すフローチャートである。
【発明を実施するための形態】
【０００９】
実施の形態１．
図１は、この発明の実施の形態１に係るエレベーターの診断運転システムを示す構成図である。図において、エレベーターの診断運転システムは、エレベーターシステム１と、エレベーターシステム１を監視する監視センター２とを備えている。
【００１０】
エレベーターシステム１は、エレベーター１１と、エレベーター１１を制御する制御装置１２と、制御装置１２によるエレベーター１１の制御を監視する監視装置１３とを有している。監視装置１３は、図示しないバッテリ装置を有している。
【００１１】
監視センター２は、監視装置１３との間で通信を行う受信装置２１と、受信装置２１を介して、監視装置１３から情報が入力される外部装置であるセンター装置２２とを備えている。監視装置１３と受信装置２１との間の通信は、有線通信および無線通信の何れであってもよい。
【００１２】
図２は、図１のエレベーター１１を示すブロック図である。エレベーター１１は、かご内操作盤１１１と、かご内報知装置１１２と、電源スイッチ１１３と、停電時自動着床装置１１４とを備えている。かご内操作盤１１１およびかご内報知装置１１２は、昇降路を昇降するかごに設けられている。かご内報知装置１１２としては、かご内スピーカ、かご内表示装置などが挙げられる。停電時自動着床装置１１４は、図示しないバッテリ装置を有している。停電時自動着床装置１１４のバッテリ装置は、電源スイッチ１１３がオンされている場合に充電される。一方、停電時自動着床装置１１４のバッテリ装置は、電源スイッチ１１３がオフされている場合に充電されない。したがって、停電時自動着床装置１１４のバッテリ装置の充電量は、電源スイッチ１１３がオンされている時間によって変化する。
【００１３】
図３は、図１の制御装置１２を示すブロック図である。制御装置１２は、エレベーター１１の通常運転の制御を行う制御装置本体３と、エレベーター１１の診断運転の制御を行う診断運転制御装置４とを備えている。診断運転制御装置４には、電源オン時診断実行有無フラグが設定可能となっている。電源オン時診断実行有無フラグに有りが設定されている場合には、診断運転制御装置４は、電源スイッチ１１３がオンされた時に、エレベーター１１の診断運転を開始する。一方、電源オン時診断実行有無フラグに無しが設定されている場合には、診断運転制御装置４は、エレベーター１１の通常の診断運転を行う。エレベーター１１の通常の診断運転とは、例えば、予め設定された日時に実施されるエレベーター１１の診断運転である。
【００１４】
また、診断運転制御装置４は、電源スイッチ１１３がオンされた時からの経過時間である稼働時間を記憶する。また、診断運転制御装置４は、前回の電源スイッチ１１３がオンされた時から電源スイッチ１１３がオフされた時までの経過時間を前回稼働時間として記憶する。
【００１５】
図４は、図３の診断運転制御装置４を示すブロック図である。診断運転制御装置４は、エレベーター１１の診断運転に含まれる複数の診断項目を記憶する診断項目記憶装置４０１を備えている。
【００１６】
図５は、図４の診断項目記憶装置４０１に記憶される複数の診断項目を示す表である。診断項目記憶装置４０１は、複数の診断項目のそれぞれに優先順位が付けられた状態で、複数の診断項目を記憶する。優先順位は、例えば、ブレーキ診断などの重要度の高い診断項目が上位となるように設定される。図５では、診断項目１が最初の診断項目であり、診断項目ｎが最後の診断項目である。また、診断項目記憶装置４０１は、複数の診断項目のそれぞれに対応させて、診断結果および診断終了日時を記憶する。また、診断項目記憶装置４０１は、最初の診断項目が実施された日時である診断開始日時と、最後の診断項目が実施された日時である診断完了日時とを記憶する。
【００１７】
また、診断運転制御装置４は、図４に示すように、電源スイッチ１１３がオンされたかオフされたかを判定する電源スイッチ判定装置４０２を備えている。電源スイッチ判定装置４０２は、電源スイッチ１１３がオンされたか否かを判定する電源スイッチオン判定装置と、電源スイッチ１１３がオフされたか否かを判定する電源スイッチオフ判定装置とを有している。
【００１８】
また、診断運転制御装置４は、複数の診断項目の中で未実施の診断項目である未実施診断項目があるか否かを判定する未実施診断項目判定装置４０３と、エレベーター１１に未実施診断項目を実施させる診断項目実施装置４０４とを備えている。未実施診断項目判定装置４０３は、電源スイッチ１１３がオンされたと電源スイッチ判定装置４０２が判定した場合に、診断項目記憶装置４０１に記憶されている情報を用いて未実施診断項目があるか否かを判定する。診断項目実施装置４０４は、未実施診断項目があると未実施診断項目判定装置４０３が判定した場合に、エレベーター１１に未実施診断項目を実施させる。未実施診断項目が複数ある場合には、診断項目実施装置４０４は、複数の未実施診断項目の中で、優先順位が上位の診断項目から下位の診断項目まで順にエレベーター１１に実施させる。
【００１９】
また、診断運転制御装置４は、実施される未実施診断項目が停電時自動着床装置１１４の診断であるか否かを判定する停電時自動着床装置診断判定装置４０５を備えている。また、診断運転制御装置４は、停電時自動着床装置１１４の診断における複数の診断運転パターンの中から実施される診断運転パターンを選択する診断運転パターン選択装置４０６を備えている。診断運転パターン選択装置４０６は、実施される未実施診断項目が停電時自動着床装置１１４の診断であると停電時自動着床装置診断判定装置４０５が判定した場合に、前回稼働時間に基づいて、実施される診断運転パターンを選択する。診断項目実施装置４０４は、診断運転パターン選択装置４０６によって選択された診断運転パターンをエレベーター１１に実施させる。複数の診断運転パターンとしては、停電時自動着床装置１１４のバッテリ装置の電圧を測定する電圧チェック、かごを短距離だけ移動させて診断を行う短距離診断および通常の診断が挙げられる。なお、停電時自動着床装置１１４の診断に含まれる複数の診断運転パターンとしては、これらに限らず、その他の診断であってもよい。
【００２０】
また、診断運転制御装置４は、複数の診断項目の全てが実施されたか否かを判定する診断項目全実施判定装置４０７と、かご内操作盤１１１が特殊操作されたか否かを判定するかご内操作盤特殊操作判定装置４０８とを備えている。診断項目全実施判定装置４０７は、診断項目記憶装置４０１に記憶されている情報を用いて複数の診断項目の全てが実施されたか否かを判定する。かご内操作盤特殊操作判定装置４０８は、複数の診断項目の全てが実施されたと診断項目全実施判定装置４０７が判定した場合に、かご内操作盤１１１が特殊操作されたか否かを判定する。かご内報知装置１１２は、かご内操作盤１１１が特殊操作されたとかご内操作盤特殊操作判定装置４０８が判定した場合に、複数の診断項目の全てが実施されたことおよび診断運転が完了したことを報知する。
【００２１】
また、診断運転制御装置４は、複数の診断項目の中で最初の診断項目である最初診断項目が実施されてから予め設定された期間が経過したか否かを判定する期間経過判定装置４０９と、実施された診断項目である実施済診断項目を未実施診断項目とする診断項目再設定装置４１０とを備えている。期間経過判定装置４０９は、診断項目記憶装置４０１に記憶されている情報を用いて最初診断項目が実施されてから予め設定された期間が経過したか否かを判定する。診断項目再設定装置４１０は、最初診断項目が実施されてから予め設定された期間が経過したと期間経過判定装置４０９が判定した場合に、診断項目記憶装置４０１に記憶されている実施済診断項目を未実施診断項目とする。
【００２２】
図６は、図１の監視装置１３を示すブロック図である。監視装置１３は、複数の診断項目の中で実施された診断項目に対応する診断結果を監視センター２に通報する診断途中結果通報装置１３１を備えている。診断途中結果通報装置１３１は、電源スイッチ１１３がオフされたと電源スイッチ判定装置４０２が判定した場合に、実施された診断項目に対応する診断結果をセンター装置２２に通報する。
【００２３】
また、監視装置１３は、複数の診断項目の全てに対応する診断結果を監視センター２に通報する診断完了結果通報装置１３２を備えている。診断完了結果通報装置１３２は、複数の診断項目の全てが実施されたと診断項目全実施判定装置４０７が判定した場合に、複数の診断項目の全てに対応する診断結果をセンター装置２２に通報する。
【００２４】
次に、エレベーターの診断運転システムの動作について説明する。図７は、図１のエレベーターの診断運転システムにおけるエレベーター１１の診断運転を示すフローチャートである。エレベーターの診断運転システムにおけるエレベーター１１の診断運転は、ステップＳ１０１において、診断運転前半工程が行われ、その後、ステップＳ１０２において、診断運転後半工程が行われる。
【００２５】
図８は、図７の診断運転前半工程を示すフローチャートである。診断運転前半工程では、まず、ステップＳ２０１において、電源スイッチ１１３がオンされる。これにより、電源スイッチ判定装置４０２は、電源スイッチ１１３がオンされたと判定する。電源スイッチがオンされたか否かが判定される電源スイッチオン判定工程は、ステップＳ２０１の工程に含まれる。
【００２６】
その後、ステップＳ２０２において、前回において電源スイッチ１１３がオンされてからオフされるまでの時間である稼働時間を前回稼働時間として記憶する。
【００２７】
その後、ステップＳ２０３において、今回における電源スイッチ１１３がオンされてからの時間である稼働時間の計測を開始する。今回計測される稼働時間は、次回のエレベーターの診断運転システムの動作において用いられる。
【００２８】
その後、ステップＳ２０４において、電源オン時診断実行有無フラグに有りが設定されているか否かが判定される。ステップＳ２０４にいて、電源オン時診断実行有無フラグに無しが設定されていると判定された場合には、ステップＳ２０５において、通常の診断運転が行われ、その後、エレベーターの診断運転システムにおけるエレベーター１１の診断運転が終了する。
【００２９】
一方、ステップＳ２０４において、電源オン時診断実行有無フラグに有りが設定されていると判定された場合には、ステップＳ２０６において、診断運転が完了した日が当月分であるか否かが判定される。ステップＳ２０６において、診断運転が完了した日が当月分であると判定された場合には、その後、エレベーターの診断運転システムにおけるエレベーター１１の診断運転が終了する。
【００３０】
一方、ステップＳ２０６において、診断運転が完了した日が当月分ではないと判定された場合には、ステップＳ２０７において、診断運転が開始された日が当月分であるか否かが判定される。複数の診断項目の中で未実施診断項目があるか否かが判定される未実施診断項目判定工程は、ステップＳ２０７の工程に含まれる。また、最初診断項目が実施されてから予め設定された期間が経過したか否かが判定される期間経過判定工程は、ステップＳ２０７の工程に含まれる。期間経過判定工程における予め設定された期間として、１ヶ月が設定されている。なお、予め設定された期間として、１ヶ月以外の期間が設定されてもよい。
【００３１】
ステップＳ２０７において、診断運転が開始された日が当月分であると判定された場合には、ステップＳ２０８において、実施される診断項目として、未実施診断項目が設定される。未実施の診断項目が複数ある場合には、実施される診断項目として、優先順位が最上位の未実施診断項目が設定される。
【００３２】
一方、ステップＳ２０７において、診断運転が開始された日が当月分ではないと判定された場合には、ステップＳ２０９において、現在の日時を診断運転開始日時として記録し、その後、ステップＳ２１０において、実施される診断項目として、全ての診断項目の中で優先順位が最上位の診断項目が設定される。この場合、全ての診断項目が未実施診断項目となる。実施済診断項目が未実施診断項目となる診断項目再設定工程は、ステップＳ２１０の工程に含まれる。以上により、診断運転前半工程が終了する。
【００３３】
図９は、図７の診断運転後半工程を示すフローチャートである。診断運転後半工程では、ステップＳ３０１において、診断項目が停電時自動着床装置１１４の診断であるか否かが判定される。停電時自動着床装置診断判定工程は、ステップＳ３０１の工程に含まれる。
【００３４】
ステップＳ３０１において、診断項目が停電時自動着床装置１１４の診断であると判定された場合には、ステップＳ３０２において、前回稼働時間が予め設定された第１時間以下であるか否かが判定される。ステップＳ３０２において、前回稼働時間が第１時間以下であると判定された場合には、ステップＳ３０３において、停電時自動着床装置１１４の電圧チェックが実施される。
【００３５】
一方、ステップＳ３０２において、前回稼働時間が第１時間よりも大きいと判定された場合には、ステップＳ３０４において、前回稼働時間が予め設定された第２時間未満であるか否かが判定される。第２時間は、第１時間よりも大きい値が設定される。ステップＳ３０４において、前回稼働時間が第２時間未満であると判定された場合には、ステップＳ３０５において、短距離診断運転が実施される。
【００３６】
一方、ステップＳ３０４において、前回稼働時間が第２時間以上であると判定された場合には、ステップＳ３０６において、停電時自動着床装置１１４の通常の診断運転が実施される。停電時自動着床装置１１４の診断における複数の診断運転パターンの中から実施される診断運転パターンが選択される診断運転パターン選択工程は、ステップＳ３０２およびステップＳ３０４の工程に含まれる。
【００３７】
一方、ステップＳ３０１において、診断項目が停電時自動着床装置１１４の診断ではないと判定された場合には、ステップＳ３０７において、診断項目が実施される。エレベーター１１が未実施診断項目を実施する診断項目実施工程は、ステップＳ３０３、ステップＳ３０５、ステップＳ３０６およびステップＳ３０７の工程が含まれる。
【００３８】
その後、ステップＳ３０８において、診断結果が診断項目記憶装置４０１に記憶される。
【００３９】
その後、ステップＳ３０９において、電源スイッチ１１３がオフされたか否かが判定される。電源スイッチ１１３がオフされたか否かが判定される電源スイッチオフ判定工程は、ステップＳ３０９の工程に含まれる。ステップＳ３０９において、電源スイッチ１１３がオフされたと判定された場合には、ステップＳ３１０において、複数の診断項目の中で実施された診断項目に対応する診断結果がセンター装置２２に通報され、その後、エレベーターシステムの診断運転が終了する。診断途中結果通報工程は、ステップＳ３１０の工程に含まれる。
【００４０】
一方、ステップＳ３０９において、電源スイッチ１１３がオフされていないと判定された場合には、ステップＳ３１１において、次に実施される診断項目として、次に最上位の未実施診断項目が設定される。
【００４１】
その後、ステップＳ３１２において、全ての診断項目の実施が終了したか否か、言い換えれば、複数の診断項目の全てが実施されたか否かが判定される。診断項目全実施判定工程は、ステップＳ３１２の工程に含まれる。ステップＳ３１２において、全ての診断項目の実施が完了していないと判定された場合には、ステップＳ３０７に戻る。
【００４２】
一方、ステップＳ３１２において、全ての診断項目の実施が完了したと判定された場合には、ステップＳ３１３において、現在の日時を診断運転完了日時として記録し、さらに、全ての診断項目に対応する診断結果および全ての診断項目の実施が完了したことがセンター装置２２に通報される。診断完了結果通報工程は、ステップＳ３１３の工程に含まれる。
【００４３】
その後、ステップＳ３１４において、かご内操作盤１１１が特殊操作されたか否かが判定される。かご内操作盤特殊操作判定工程は、ステップＳ３１４の工程に含まれる。ステップＳ３１４において、かご内操作盤１１１が特殊操作されていないと判定された場合には、エレベーターシステムの診断運転が終了する。
【００４４】
一方、ステップＳ３１４において、かご内操作盤１１１が特殊操作されたと判定された場合には、ステップＳ３１５において、かご内報知装置１１２は、全ての診断項目の実施が終了したこと、言い換えれば、複数の診断項目の全ての診断項目が実施されたことを報知し、その後、エレベーターシステムの診断運転が終了する。かご内報知工程は、ステップＳ３１５の工程に含まれる。
【００４５】
以上説明したように、この発明の実施の形態１に係るエレベーターの診断運転方法によれば、エレベーター１１の電源スイッチ１１３がオンされたか否かが判定される。また、電源スイッチがオンされたと判定された場合に、未実施診断項目があるか否かが判定される。また、未実施診断項目があると判定された場合に、エレベーター１１が未実施診断項目を実施する。これにより、エレベーター１１の診断運転をより確実に完了させることができる。
【００４６】
また、このエレベーターの診断運転方法は、実施される未実施診断項目が停電時自動着床装置１１４の診断であるか否かが判定される。また、実施される未実施診断項目が停電時自動着床装置１１４の診断であると判定された場合に、前回稼働時間に基づいて、停電時自動着床装置１１４の診断における複数の診断運転パターンの中から実施される診断運転パターンが選択される。これにより、停電時自動着床装置１１４のバッテリ装置の充電量に対応して、診断運転パターンが選択されることができる。
【００４７】
また、このエレベーターの診断運転方法は、電源スイッチ１１３がオフされたか否かが判定される。また、電源スイッチ１１３がオフされたと判定された場合に、複数の診断項目の中で実施された診断項目に対応する診断結果がセンター装置２２に通報される。これにより、センター装置２２は、複数の診断項目の中で実施された診断項目の診断結果を把握することができる。
【００４８】
また、このエレベーターの診断運転方法は、複数の診断項目の全てが実施されたか否かが判定される。また、複数の診断項目の全てが実施されたと判定された場合に、複数の診断項目の全てに対応する診断結果がセンター装置２２に通報される。これにより、センター装置２２は、複数の診断項目の全てに対応する診断結果を把握することができる。
【００４９】
また、このエレベーターの診断運転方法は、複数の診断項目の全てが実施されたか否かが判定される。また、複数の診断項目の全てが実施されたと判定された場合に、かご内操作盤１１１が特殊操作されたか否かが判定される。また、かご内操作盤１１１が特殊操作されたと判定された場合に、かご内報知装置１１２が、複数の診断項目の全てが実施されたことを報知する。これにより、かご内にいる操作者が、かご内操作盤１１１を特殊操作することによって、複数の診断項目の全てが実施されたことを把握することができる。
【００５０】
また、このエレベーターの診断運転方法は、複数の診断項目の中で最初診断項目が実施されてから予め設定された期間が経過したか否かが判定される。また、最初診断項目が実施されてから予め設定された期間が経過したと判定された場合に、実施済診断項目が未実施診断項目となる。これにより、最初診断項目が実施された時から予め設定された期間が経過した場合に、再び、最初診断項目が実施されることができる。
【００５１】
また、この発明の実施の形態１に係るエレベーターの診断運転システムによれば、エレベーター１１の電源スイッチ１１３がオンされたか否かを判定する電源スイッチ判定装置４０２を備えている。また、このエレベーターの診断運転システムは、電源スイッチ１１３がオンされたと電源スイッチ判定装置４０２が判定した場合に、未実施診断項目があるか否かを判定する未実施診断項目判定装置４０３を備えている。また、このエレベーターの診断運転システムは、未実施診断項目があると未実施診断項目判定装置４０３が判定した場合に、エレベーター１１に未実施診断項目を実施させる診断項目実施装置４０４を備えている。これにより、エレベーターの診断運転をより確実に完了させることができる。
【００５２】
また、このエレベーターの診断運転システムは、実施される未実施診断項目が停電時自動着床装置１１４の診断であるか否かを判定する停電時自動着床装置診断判定装置４０５を備えている。また、このエレベーターの診断運転システムは、実施される未実施診断項目が停電時自動着床装置１１４の診断であると停電時自動着床装置診断判定装置４０５が判定した場合に、前回稼働時間に基づいて、停電時自動着床装置１１４の診断における複数の診断運転パターンの中から実施される診断運転パターンを選択する診断運転パターン選択装置４０６を備えている。これにより、停電時自動着床装置１１４のバッテリ装置の充電量に対応して、診断運転パターンが選択されることができる。
【００５３】
また、このエレベーターの診断運転システムは、電源スイッチ１１３がオフされたか否かを判定する電源スイッチ判定装置４０２を備えている。また、このエレベーターの診断運転システムは、電源スイッチ１１３がオフされたと電源スイッチ判定装置４０２が判定した場合に、複数の診断項目の中で実施された診断項目に対応する診断結果をセンター装置２２に通報する診断途中結果通報装置１３１を備えている。これにより、センター装置２２は、複数の診断項目の中で実施された診断項目の診断結果を把握することができる。
【００５４】
また、このエレベーターの診断運転システムは、複数の診断項目の全てが実施されたか否かを判定する診断項目全実施判定装置４０７を備えている。また、このエレベーターの診断運転システムは、複数の診断項目の全てが実施されたと診断項目全実施判定装置４０７が判定した場合に、複数の診断項目の全てに対応する診断結果をセンター装置２２に通報する診断完了結果通報装置１３２を備えている。これにより、センター装置２２は、複数の診断項目の全てに対応する診断結果を把握することができる。
【００５５】
また、このエレベーターの診断運転システムは、複数の診断項目の全てが実施されたか否かを判定する診断項目全実施判定装置４０７を備えている。また、このエレベーターの診断運転システムは、複数の診断項目の全てが実施されたと診断項目全実施判定装置４０７が判定した場合に、かご内操作盤１１１が特殊操作されたか否かを判定するかご内操作盤特殊操作判定装置４０８を備えている。また、このエレベーターの診断運転システムは、かご内操作盤１１１が特殊操作されたとかご内操作盤特殊操作判定装置４０８が判定した場合に、複数の診断項目の全てが実施されたことを報知するかご内報知装置１１２を備えている。これにより、かご内にいる操作者が、かご内操作盤１１１を特殊操作することによって、複数の診断項目の全てが実施されたことを把握することができる。
【００５６】
また、このエレベーターの診断運転システムは、最初診断項目が実施されてから予め設定された期間が経過したか否かを判定する期間経過判定装置４０９を備えている。また、このエレベーターの診断運転システムは、最初診断項目が実施されてから予め設定された期間が経過したと期間経過判定装置４０９が判定した場合に、実施済診断項目を未実施診断項目とする診断項目再設定装置４１０を備えている。これにより、最初診断項目が実施された時から予め設定された期間が経過した場合に、再び、最初診断項目が実施されることができる。
【符号の説明】
【００５７】
１  エレベーターシステム、２  監視センター、３  制御装置本体、４  診断運転制御装置、１１  エレベーター、１２  制御装置、１３  監視装置、２１  受信装置、２２  センター装置、１１１  かご内操作盤、１１２  かご内報知装置、１１３  電源スイッチ、１１４  停電時自動着床装置、１３１  診断途中結果通報装置、１３２  診断完了結果通報装置、４０１  診断項目記憶装置、４０２  電源スイッチ判定装置、４０３  未実施診断項目判定装置、４０４  診断項目実施装置、４０５  停電時自動着床装置診断判定装置、４０６  診断運転パターン選択装置、４０７  診断項目全実施判定装置、４０８  かご内操作盤特殊操作判定装置、４０９  期間経過判定装置、４１０  診断項目再設定装置。
【図１】
2019163051.tif 000003
【図２】
2019163051.tif 000004
【図３】
2019163051.tif 000005
【図４】
2019163051.tif 000006
【図５】
2019163051.tif 000007
【図６】
2019163051.tif 000008
【図７】
2019163051.tif 000009
【図８】
2019163051.tif 000010
【図９】
2019163051.tif 000011
【手続補正書】
【提出日】平成30年7月19日(2018.7.19)
【手続補正１】
【補正対象書類名】明細書
【補正対象項目名】０００６
【補正方法】変更
【補正の内容】
【０００６】
この発明に係るエレベーターの診断運転方法は、エレベーターの電源スイッチがオンされたか否かが判定される電源スイッチオン判定工程と、電源スイッチオン判定工程で、電源スイッチがオンされたと判定された場合に、エレベーターの診断運転に含まれる複数の診断項目の中で未実施の診断項目である未実施診断項目があるか否かが判定される未実施診断項目判定工程と、未実施診断項目判定工程で、未実施診断項目があると判定された場合に、優先順位が最上位の未実施診断項目をエレベーターが実施する診断項目実施工程とを備えている。
【手続補正２】
【補正対象書類名】特許請求の範囲
【補正対象項目名】全文
【補正方法】変更
【補正の内容】
【特許請求の範囲】
【請求項１】
エレベーターの電源スイッチがオンされたか否かが判定される電源スイッチオン判定工程と、
前記電源スイッチオン判定工程で、前記電源スイッチがオンされたと判定された場合に、前記エレベーターの診断運転に含まれる複数の診断項目の中で未実施の前記診断項目である未実施診断項目があるか否かが判定される未実施診断項目判定工程と、
前記未実施診断項目判定工程で、前記未実施診断項目があると判定された場合に、優先順位が最上位の前記未実施診断項目を前記エレベーターが実施する診断項目実施工程と
を備えたエレベーターの診断運転方法。
【請求項２】
前記診断項目実施工程は、
実施される前記未実施診断項目が停電時自動着床装置の診断であるか否かが判定される停電時自動着床装置診断判定工程と、
前記停電時自動着床装置診断判定工程で、実施される前記未実施診断項目が前記停電時自動着床装置の診断であると判定された場合に、前回に前記電源スイッチがオンされた時間である前回稼働時間に基づいて、前記停電時自動着床装置の診断における複数の診断運転パターンの中から実施される前記診断運転パターンが選択される診断運転パターン選択工程と
を有している請求項１に記載のエレベーターの診断運転方法。
【請求項３】
前記電源スイッチがオフされたか否かが判定される電源スイッチオフ判定工程と、
前記電源スイッチオフ判定工程で、前記電源スイッチがオフされたと判定された場合に、複数の前記診断項目の中で実施された前記診断項目に対応する診断結果が外部装置に通報される診断途中結果通報工程と
をさらに備えた請求項１または請求項２に記載のエレベーターの診断運転方法。
【請求項４】
複数の前記診断項目の全てが実施されたか否かが判定される診断項目全実施判定工程と、
前記診断項目全実施判定工程で、複数の前記診断項目の全てが実施されたと判定された場合に、複数の前記診断項目の全てに対応する診断結果が外部装置に通報される診断完了結果通報工程と
をさらに備えた請求項１から請求項３までの何れか一項に記載のエレベーターの診断運転方法。
【請求項５】
複数の前記診断項目の全てが実施されたか否かが判定される診断項目全実施判定工程と、
前記診断項目全実施判定工程で、複数の前記診断項目の全てが実施されたと判定された場合に、かご内操作盤が特殊操作されたか否かが判定されるかご内操作盤特殊操作判定工程と、
前記かご内操作盤特殊操作判定工程で、前記かご内操作盤が特殊操作されたと判定された場合に、かご内報知装置が、複数の前記診断項目の全てが実施されたことを報知するかご内報知工程と
をさらに備えた請求項１から請求項４までの何れか一項に記載のエレベーターの診断運転方法。
【請求項６】
複数の前記診断項目の中で最初の前記診断項目である最初診断項目が実施されてから予め設定された期間が経過したか否かが判定される期間経過判定工程と、
前記期間経過判定工程で、前記最初診断項目が実施されてから予め設定された期間が経過したと判定された場合に、実施された前記診断項目である実施済診断項目が前記未実施診断項目となる診断項目再設定工程と
をさらに備えた請求項１から請求項５までの何れか一項に記載のエレベーターの診断運転方法。
【請求項７】
エレベーターの電源スイッチがオンされたか否かを判定する電源スイッチオン判定装置と、
前記電源スイッチがオンされたと前記電源スイッチオン判定装置が判定した場合に、前記エレベーターの診断運転に含まれる複数の診断項目の中で未実施の前記診断項目である未実施診断項目があるか否かを判定する未実施診断項目判定装置と、
前記未実施診断項目があると前記未実施診断項目判定装置が判定した場合に、優先順位が最上位の前記未実施診断項目を前記エレベーターに実施させる診断運転制御装置と
を備えたエレベーターの診断運転システム。
【請求項８】
実施される前記未実施診断項目が停電時自動着床装置の診断であるか否かを判定する停電時自動着床装置診断判定装置と、
実施される前記未実施診断項目が前記停電時自動着床装置の診断であると前記停電時自動着床装置診断判定装置が判定した場合に、前回に前記電源スイッチがオンされた時間である前回稼働時間に基づいて、前記停電時自動着床装置の診断における複数の診断運転パターンの中から実施される前記診断運転パターンを選択する診断運転パターン選択装置と
をさらに備えた請求項７に記載のエレベーターの診断運転システム。
【請求項９】
前記電源スイッチがオフされたか否かを判定する電源スイッチオフ判定装置と、
前記電源スイッチがオフされたと前記電源スイッチオフ判定装置が判定した場合に、複数の前記診断項目の中で実施された前記診断項目に対応する診断結果を外部装置に通報する診断途中結果通報装置と
をさらに備えた請求項７または請求項８に記載のエレベーターの診断運転システム。
【請求項１０】
複数の前記診断項目の全てが実施されたか否かを判定する診断項目全実施判定装置と、
複数の前記診断項目の全てが実施されたと前記診断項目全実施判定装置が判定した場合に、複数の前記診断項目の全てに対応する診断結果を外部装置に通報する診断完了結果通報装置と
をさらに備えた請求項７から請求項９までの何れか一項に記載のエレベーターの診断運転システム。
【請求項１１】
複数の前記診断項目の全てが実施されたか否かを判定する診断項目全実施判定装置と、
複数の前記診断項目の全てが実施されたと前記診断項目全実施判定装置が判定した場合に、かご内操作盤が特殊操作されたか否かを判定するかご内操作盤特殊操作判定装置と、
前記かご内操作盤が特殊操作されたと前記かご内操作盤特殊操作判定装置が判定した場合に、複数の前記診断項目の全てが実施されたことを報知するかご内報知装置と
をさらに備えた請求項７から請求項１０までの何れか一項に記載のエレベーターの診断運転システム。
【請求項１２】
複数の前記診断項目の中で最初の前記診断項目である最初診断項目が実施されてから予め設定された期間が経過したか否かを判定する期間経過判定装置と、
前記最初診断項目が実施されてから予め設定された期間が経過したと前記期間経過判定装置が判定した場合に、実施された前記診断項目である実施済診断項目を前記未実施診断項目とする診断項目再設定装置と
をさらに備えた請求項７から請求項１１までの何れか一項に記載のエレベーターの診断運転システム。
【手続補正書】
【提出日】平成30年10月15日(2018.10.15)
【手続補正１】
【補正対象書類名】明細書
【補正対象項目名】０００６
【補正方法】変更
【補正の内容】
【０００６】
この発明に係るエレベーターの診断運転方法は、エレベーターの電源スイッチがオンされたか否かが判定される電源スイッチオン判定工程と、電源スイッチオン判定工程で、電源スイッチがオンされたと判定された場合に、エレベーターの診断運転に含まれる複数の診断項目の中で未実施の診断項目である未実施診断項目があるか否かが判定される未実施診断項目判定工程と、未実施診断項目判定工程で、未実施診断項目があると判定された場合に、優先順位が最上位の未実施診断項目をエレベーターが実施する診断項目実施工程とを備え、診断項目実施工程は、実施される未実施診断項目が停電時自動着床装置の診断であるか否かが判定される停電時自動着床装置診断判定工程と、停電時自動着床装置診断判定工程で、実施される未実施診断項目が停電時自動着床装置の診断であると判定された場合に、前回に電源スイッチがオンされた時間である前回稼働時間に基づいて、停電時自動着床装置の診断における複数の診断運転パターンの中から実施される診断運転パターンが選択される診断運転パターン選択工程とを有している。
【手続補正２】
【補正対象書類名】特許請求の範囲
【補正対象項目名】全文
【補正方法】変更
【補正の内容】
【特許請求の範囲】
【請求項１】
エレベーターの電源スイッチがオンされたか否かが判定される電源スイッチオン判定工程と、
前記電源スイッチオン判定工程で、前記電源スイッチがオンされたと判定された場合に、前記エレベーターの診断運転に含まれる複数の診断項目の中で未実施の前記診断項目である未実施診断項目があるか否かが判定される未実施診断項目判定工程と、
前記未実施診断項目判定工程で、前記未実施診断項目があると判定された場合に、優先順位が最上位の前記未実施診断項目を前記エレベーターが実施する診断項目実施工程と
を備え、
前記診断項目実施工程は、
実施される前記未実施診断項目が停電時自動着床装置の診断であるか否かが判定される停電時自動着床装置診断判定工程と、
前記停電時自動着床装置診断判定工程で、実施される前記未実施診断項目が前記停電時自動着床装置の診断であると判定された場合に、前回に前記電源スイッチがオンされた時間である前回稼働時間に基づいて、前記停電時自動着床装置の診断における複数の診断運転パターンの中から実施される前記診断運転パターンが選択される診断運転パターン選択工程と
を有しているエレベーターの診断運転方法。
【請求項２】
エレベーターの電源スイッチがオンされたか否かが判定される電源スイッチオン判定工程と、
前記電源スイッチオン判定工程で、前記電源スイッチがオンされたと判定された場合に、前記エレベーターの診断運転に含まれる複数の診断項目の中で未実施の前記診断項目である未実施診断項目があるか否かが判定される未実施診断項目判定工程と、
前記未実施診断項目判定工程で、前記未実施診断項目があると判定された場合に、優先順位が最上位の前記未実施診断項目を前記エレベーターが実施する診断項目実施工程と、
前記電源スイッチがオフされたか否かが判定される電源スイッチオフ判定工程と、
前記電源スイッチオフ判定工程で、前記電源スイッチがオフされたと判定された場合に、複数の前記診断項目の中で実施された前記診断項目に対応する診断結果が外部装置に通報される診断途中結果通報工程と
を備えたエレベーターの診断運転方法。
【請求項３】
前記診断項目実施工程は、
実施される前記未実施診断項目が停電時自動着床装置の診断であるか否かが判定される停電時自動着床装置診断判定工程と、
前記停電時自動着床装置診断判定工程で、実施される前記未実施診断項目が前記停電時自動着床装置の診断であると判定された場合に、前回に前記電源スイッチがオンされた時間である前回稼働時間に基づいて、前記停電時自動着床装置の診断における複数の診断運転パターンの中から実施される前記診断運転パターンが選択される診断運転パターン選択工程と
を有している請求項２に記載のエレベーターの診断運転方法。
【請求項４】
複数の前記診断項目の全てが実施されたか否かが判定される診断項目全実施判定工程と、
前記診断項目全実施判定工程で、複数の前記診断項目の全てが実施されたと判定された場合に、複数の前記診断項目の全てに対応する診断結果が外部装置に通報される診断完了結果通報工程と
をさらに備えた請求項１から請求項３までの何れか一項に記載のエレベーターの診断運転方法。
【請求項５】
複数の前記診断項目の全てが実施されたか否かが判定される診断項目全実施判定工程と、
前記診断項目全実施判定工程で、複数の前記診断項目の全てが実施されたと判定された場合に、かご内操作盤が特殊操作されたか否かが判定されるかご内操作盤特殊操作判定工程と、
前記かご内操作盤特殊操作判定工程で、前記かご内操作盤が特殊操作されたと判定された場合に、かご内報知装置が、複数の前記診断項目の全てが実施されたことを報知するかご内報知工程と
をさらに備えた請求項１から請求項４までの何れか一項に記載のエレベーターの診断運転方法。
【請求項６】
複数の前記診断項目の中で最初の前記診断項目である最初診断項目が実施されてから予め設定された期間が経過したか否かが判定される期間経過判定工程と、
前記期間経過判定工程で、前記最初診断項目が実施されてから予め設定された期間が経過したと判定された場合に、実施された前記診断項目である実施済診断項目が前記未実施診断項目となる診断項目再設定工程と
をさらに備えた請求項１から請求項５までの何れか一項に記載のエレベーターの診断運転方法。
【請求項７】
エレベーターの電源スイッチがオンされたか否かを判定する電源スイッチオン判定装置と、
前記電源スイッチがオンされたと前記電源スイッチオン判定装置が判定した場合に、前記エレベーターの診断運転に含まれる複数の診断項目の中で未実施の前記診断項目である未実施診断項目があるか否かを判定する未実施診断項目判定装置と、
前記未実施診断項目があると前記未実施診断項目判定装置が判定した場合に、優先順位が最上位の前記未実施診断項目を前記エレベーターに実施させる診断運転制御装置と、
実施される前記未実施診断項目が停電時自動着床装置の診断であるか否かを判定する停電時自動着床装置診断判定装置と、
実施される前記未実施診断項目が前記停電時自動着床装置の診断であると前記停電時自動着床装置診断判定装置が判定した場合に、前回に前記電源スイッチがオンされた時間である前回稼働時間に基づいて、前記停電時自動着床装置の診断における複数の診断運転パターンの中から実施される前記診断運転パターンを選択する診断運転パターン選択装置と
を備えたエレベーターの診断運転システム。
【請求項８】
エレベーターの電源スイッチがオンされたか否かを判定する電源スイッチオン判定装置と、
前記電源スイッチがオンされたと前記電源スイッチオン判定装置が判定した場合に、前記エレベーターの診断運転に含まれる複数の診断項目の中で未実施の前記診断項目である未実施診断項目があるか否かを判定する未実施診断項目判定装置と、
前記未実施診断項目があると前記未実施診断項目判定装置が判定した場合に、優先順位が最上位の前記未実施診断項目を前記エレベーターに実施させる診断運転制御装置と、
前記電源スイッチがオフされたか否かを判定する電源スイッチオフ判定装置と、
前記電源スイッチがオフされたと前記電源スイッチオフ判定装置が判定した場合に、複数の前記診断項目の中で実施された前記診断項目に対応する診断結果を外部装置に通報する診断途中結果通報装置と
を備えたエレベーターの診断運転システム。
【請求項９】
実施される前記未実施診断項目が停電時自動着床装置の診断であるか否かを判定する停電時自動着床装置診断判定装置と、
実施される前記未実施診断項目が前記停電時自動着床装置の診断であると前記停電時自動着床装置診断判定装置が判定した場合に、前回に前記電源スイッチがオンされた時間である前回稼働時間に基づいて、前記停電時自動着床装置の診断における複数の診断運転パターンの中から実施される前記診断運転パターンを選択する診断運転パターン選択装置と
をさらに備えた請求項８に記載のエレベーターの診断運転システム。
【請求項１０】
複数の前記診断項目の全てが実施されたか否かを判定する診断項目全実施判定装置と、
複数の前記診断項目の全てが実施されたと前記診断項目全実施判定装置が判定した場合に、複数の前記診断項目の全てに対応する診断結果を外部装置に通報する診断完了結果通報装置と
をさらに備えた請求項７から請求項９までの何れか一項に記載のエレベーターの診断運転システム。
【請求項１１】
複数の前記診断項目の全てが実施されたか否かを判定する診断項目全実施判定装置と、
複数の前記診断項目の全てが実施されたと前記診断項目全実施判定装置が判定した場合に、かご内操作盤が特殊操作されたか否かを判定するかご内操作盤特殊操作判定装置と、
前記かご内操作盤が特殊操作されたと前記かご内操作盤特殊操作判定装置が判定した場合に、複数の前記診断項目の全てが実施されたことを報知するかご内報知装置と
をさらに備えた請求項７から請求項１０までの何れか一項に記載のエレベーターの診断運転システム。
【請求項１２】
複数の前記診断項目の中で最初の前記診断項目である最初診断項目が実施されてから予め設定された期間が経過したか否かを判定する期間経過判定装置と、
前記最初診断項目が実施されてから予め設定された期間が経過したと前記期間経過判定装置が判定した場合に、実施された前記診断項目である実施済診断項目を前記未実施診断項目とする診断項目再設定装置と
をさらに備えた請求項７から請求項１１までの何れか一項に記載のエレベーターの診断運転システム。
【国際調査報告】
2019163051.tif 000012
2019163051.tif 000013
2019163051.tif 000014
2019163051.tif 000015